(57)【要約】【課題】非健常者にも容易に入力でき、ミスタッチを減らすことができるユニバーサルデザインに対応した画像形成装置を提供する。【解決手段】画像形成条件を入力するためのタッチキーを表示する表示入力画面３ａを備えた画像形成装置１において、上記タッチキーにタッチする入力部材１５を設け、該入力部材１５を上記表示入力画面の近傍に形成した入力部材保持部１４の溝１４ａ内に着脱可能に保持させた。入力部材１５は、棒状で先端が細くなっているので、タッチキーが小さくても確実にタッチすることができる。また、入力部材１５は紐部材１５ａで入力部材保持部１４に接続されており、紛失を防止することができる。【選択図】        図１
2004194022.tif 000002
【特許請求の範囲】
【請求項１】
画像形成条件を入力するためのタッチキーを表示する表示入力画面を備えた画像形成装置において、上記タッチキーにタッチする入力部材を設け、該入力部材を上記表示入力画面の近傍に形成した入力部材保持部に着脱可能に保持させたことを特徴とする画像形成装置。
【請求項２】
上記入力部材がペン型で、上記入力部材保持部に紐部材により接続されたことを特徴とする請求項１記載の画像形成装置。
【請求項３】
上記紐部材が、伸縮可能又は巻取可能であることを特徴とする請求項２記載の画像形成装置。
【発明の詳細な説明】
【０００１】
【発明が属する技術分野】
本発明は、画像形成装置に関し、特に、非健常者でも容易に画像形成条件を指示できるユニバーサルデザインに対応した画像形成装置に関する。
【０００２】
【従来の技術】
図３は画像形成装置としての複写機の斜視図である。複写機１は、装置の上部に原稿の自動給送が可能なＡＤＦ２と表示入力部３とを有する。ＡＤＦ２に複数枚の原稿を載置し、表示入力部３から画像形成条件を入力する。表示入力部３は、液晶パネルからなる表示入力画面３ａとテンキーやスタートボタンなどを有する入力部３ｂとからなる。
【０００３】
図４は表示入力部３の拡大図である。表示入力画面３ａ内には、画像形成条件として、片面→片面、両面→片面などの両面選択キー、コピー濃度設定キー、倍率選択キー、サイズ選択キー等々の各種のタッチキーが表示されている。操作者は、これらのタッチキーを指先で触れて画像形成条件を設定する。入力部３ｂからは、たとえば、コピーとファクスとの切り換えや、コピー部数の設定等をする。
【０００４】
入力部３ｂに設けられたスタートボタンを押すと、ＡＤＦ２から１枚ずつ原稿が読み込まれ、複写が開始する。複写紙は、複数あるトレイ４，４，４のいずれかから供給され、複写が完了した複写紙は、排紙部５に排紙される。複写機１の内部における動作の詳細は、本願とは直接の関係がないので、省略する。
【０００５】
近年は、画像形成装置の多機能化が進み、上記の表示入力パネルが大型化し、表示される事項も多くなっている。そのため、画面内のタッチキーも小さくなり、基本操作に関する表示が表示入力パネル内で目立たなくなって、不慣れな操作者や非健常者にとっては、ミスタッチし易く、非常に操作しにくいものとなってきた。
【０００６】
これに対し、表示入力パネルに扉状のカバーをヒンジ結合等で取り付け、この扉に小窓を開け、カバーで表示入力パネルを覆ったとき、小窓から基本操作部分だけが露出するようにした画像形成装置が提案されている（たとえば、特許文献１）。こうすることによって、不慣れな操作者であっても、基本的に必要な情報を容易に確認でき、確実な入力操作を行うことができるようになる。
【０００７】
【特許文献１】特開平６−２２２６２７号  図１、段落００１５
【０００８】
【発明が解決しようとする課題】
しかしながら、上記特許文献１に記載のものは、タッチキーそのものを大きくするものではないので、指先で押すとき隣のタッチキーにタッチするなどのミスタッチを根本的に防止することはできない。特に、非健常者はミスタッチをし易い。
【０００９】
本発明は、このような事実から考えられたもので、非健常者にも容易に入力でき、ミスタッチを減らすことができるユニバーサルデザインに対応した画像形成装置を提供することを目的としている。
【００１０】
【課題を解決するための手段】
上記の目的を達成するために本発明の画像形成装置は、画像形成条件を入力するためのタッチキーを表示する表示入力画面を備えた画像形成装置において、上記タッチキーにタッチする入力部材を設け、該入力部材を上記表示入力画面の近傍に形成した入力部材保持部に着脱可能に保持させたことを特徴としている。
【００１１】
上記入力部材がペン型で、上記入力部材保持部に紐部材により接続された構成や、上記紐部材が、伸縮可能又は巻取可能である構成とすることができる。
【００１２】
【発明の実施の形態】
以下に本発明の実施例を図面によって説明する。
図１は本発明の画像形成装置における表示入力部３の周辺部を示す平面図である。表示入力部３は、従来例に示したものと同じで、液晶パネルからなる表示入力画面３ａとテンキーやスタートボタンなどを有する入力部３ｂとからなる。本発明の画像形成装置では、表示入力部３の左側に、入力部材保持部１４を設け、ここに入力部材１５を置いたことに特徴がある。
【００１３】
入力部材保持部１４は、図示の位置に限定されるものではなく、操作に支障を与えない限り、どこに設けてもよい。ただし、表示入力部３の近傍に設けることが望ましい。
【００１４】
図２は入力部材保持部１４の拡大図で、（ａ）は入力部材１５を保持した状態、（ｂ）は入力部材１５を取り外して使用する状態を示す。入力部材１５は細長い棒状で、先端が細くなっている。素材は、特に限定されない。入力部材１５は、入力部材保持部１４に形成された溝１４ａ内に収容される。溝１４ａの中央には相対向する位置に突起１４ｂ，１４ｂがあり、これらの突起１４ｂ，１４ｂ間に入力部材１５を軽く押し込むことによって、入力部材１５が溝１４ａ内から何かのはずみで外に出るのを防止し、確実に係止して紛失するのを防止できるようになっている。
【００１５】
入力部材１５は、入力部材保持部１４に紐部材１５ａによってつながっている。入力部材１５が紛失するのを防止するためである。したがって、紐部材１５ａとしては入力部材１５を引っ張った程度では簡単に切断しない程度の強度を有するものが必要である。また、図２（ｂ）に示す使用時には長く延び、図２（ａ）に示す格納時には短く縮むことが望ましい。このような構成としては、コイル状にカールした線を用いたり、紐部材１５ａ自身を伸縮可能な素材で作ったり、バネやゼンマイなどによって自動的に引っ張り込んで巻き取る構成にするなど、種々の構成を採用することができる。
【００１６】
入力部材１５は、先端が細くなっているので、表示入力画面３ａに表示されたタッチキーが小さくても、周辺のタッチキーを一緒に押すことは容易に回避することができる。そのため、ミスタッチなどの押し間違いを格段に減らすことができる。
【００１７】
本発明では、入力部材保持部１４を形成し、入力部材１５を着脱自在に設けるだけで、ソフトウェアの変更などの変更は一切不要である。
【００１８】
【発明の効果】
以上に説明したように本発明によれば、画像形成条件を入力するためのタッチキーを表示する表示入力画面を備えた画像形成装置において、上記タッチキーにタッチする入力部材を設け、該入力部材を上記表示入力画面の近傍に形成した入力部材保持部に着脱可能に保持させた構成なので、タッチキーが小さくても、非健常者が容易にかつ、確実に所望のタッチキーに触れて画像形成条件を設定することができるようになった。
【００１９】
上記入力部材を入力部材保持部に紐部材で接続する構成とすれば、入力部材の紛失を防止することができる。
【図面の簡単な説明】
【図１】本発明の画像形成装置における表示入力部の周辺部を示す平面図である。
【図２】入力部材保持部の拡大図で、（ａ）は入力部材を保持した状態、（ｂ）は入力部材を取り外して使用する状態を示す。
【図３】従来の画像形成装置の斜視図である。
【図４】表示入力部の拡大図である。
【符号の説明】
１    画像形成装置
３    表示入力部
３ａ  表示入力画面
３ｂ  入力部
１４  入力部材保持部
１５  入力部材
１５ａ  紐部材
【図１】
2004194022.tif 000003
【図２】
2004194022.tif 000004
【図３】
2004194022.tif 000005
【図４】
2004194022.tif 000006